(57)【特許請求の範囲】
【請求項１】
分析試料に含まれる少なくとも１つのリガンド(2)を検出する装置(1)において、リガンド(2)と接触した場合にリガンド(2)と特異的結合する、異なるレセプターが直接的又は間接的に固定される複数の検出フィールドが表面に配置される光ウエーブガイド(4)と、レセプター(5)でのリガンド(2)の結合に依存して発光物質(10)のエバネッセント励起のため、光ウエーブガイド(4)内への励起ビーム(9)を接続する少なくとも１つの光ビーム源(8)と、個々の検出フィールドのために、それぞれ、発光物質(10)の局部分解の検出のため、半導体チップ上に配置される少なくとも１つのビーム受信器(12)を有する半導体チップ(3)とを備え、ウエーブガイド(4)は半導体基板とモノリシックに集積され、又はウエーブガイド層として半導体チップ(3)上に配置され、検出フィールドに付設されるビーム受信器(12)は検出フィールドに対向するウエーブガイドの裏側において半導体基板内で並列して直接に配置されることを特徴とする分析試料に含まれる少なくとも１つのリガンドを検出する装置。
【請求項２】
半導体チップ(3)の地形は望ましくない光離脱を避けるため、少なくとも１つのレセプター(5)に対向する境界面(14)が半導体チップ(3)とウエーブガイド(4)との間で、半導体チップ(3)の延長面に対して平行に配置される２つの平面(14a, 14b)間で走り、２つの平面の間隔(x)は励起ビーム(9)の波長より小さいことを特徴とする請求項１記載の装置(1)。
【請求項３】
半導体チップ(3)は、電子回路のためにウエーブガイド(4)と横に並んだ構造部(13)を有することを特徴とする請求項１又は２記載の装置(1)。
【請求項４】
半導体チップ(3)とウエーブガイド(4)との間には中間層(15)が配置され、中間層の光屈折率はウエーブガイド(4)の屈折率より小さく、中間層(15)は半導体チップ(3)に直接隣接する半導体チップ(3)のネガの形状を有し、半導体チップ(3)と対向してウエーブガイド(4)に隣接する中間層(15)の前側で直接に本質的に平坦に構成されることを特徴とする請求項１ないし３いずれか１項に記載の装置(1)。
【請求項５】
中間層は接着剤層として構成されることを特徴とする請求項１ないし４いずれか１項に記載の装置(1)。
【請求項６】
ウエーブガイド(4)は少なくとも１つの結合個所を介して半導体チップ(3)と接続されることを特徴とする請求項１ないし５いずれか１項に記載の装置(1)。
【請求項７】
ウエーブガイド(4)は、透明な重合体材料から成る薄膜層として構成されることを特徴とする請求項１ないし６いずれか１項に記載の装置(1)。
【請求項８】
ウエーブガイド(4)は金属酸化物により形成されることを特徴とする請求項１ないし７いずれか１項に記載の装置(1)。
【請求項９】
光ビーム源(8)は半導体ビーム源として構成され、半導体チップ(3)内で一体化されることを特徴とする請求項１ないし８いずれか１項に記載の装置(1)。
【請求項１０】
ウエーブガイド(4)内への励起ビーム(9)の接続のため、光ビーム源(8)の放射範囲内で接続光学系(11)が設けられ、接続光学系は、ウエーブガイド(4)と一体に構成され、プリズム、光格子及び転向ミラー或いはそれらの内の一方を有することを特徴とする請求項１ないし９いずれか１項に記載の装置(1)。
【請求項１１】
個々のビーム受信器(12)が、本質的に他のビーム受信器(12)の検出フィールドの発光ビームを受信しないように、検出フィールドは相互に離間され、ビーム受信器(12)に関して配置されることを特徴とする請求項１ないし１０いずれか１項に記載の装置(1)。
【請求項１２】
少なくとも１つのレセプター(5)は、少なくとも入口(18)と出口(19)とを有する貫流測定室の内部空洞(17)内に配置され、半導体チップ(3)は、貫流測定室の壁範囲を形成することを請求項１ないし１１いずれか１項に記載の装置(1)。
【請求項１３】
貫流測定室の温度調節のため、ペルチェ素子を有する加熱装置及び冷却装置或いはそれらの内の一方が設けられることを請求項１ないし１２いずれか１項に記載の装置(1)。
【請求項１４】
貫流測定室内には、少なくとも１つのレセプター(5)での少なくとも１つのリガンド(2)の結合の検出のため、少なくとも１つの試薬及び反応体或いはそれらの内の一方が貯留されることを特徴とする請求項１ないし１３いずれか１項に記載の装置(1)。
【発明の詳細な説明】
【技術分野】
【０００１】
この発明は、リガンドの接触の場合にリガンドと特異的結合する少なくとも１つのレセプターが、表面に直接的又は間接的に固定される光ウエーブガイド(opitical waveguide)と、レセプターでのリガンドの結合に依存して発光ビームの放射を励起するため、ウエーブガイド内へ励起ビームを接続する少なくとも１つの光ビーム源と、発光ビームの検出のために半導体基板上に配置される少なくとも１つのビーム受信器を有する半導体チップとを備え、分析試料内に含まれる少なくとも１つのリガンドを検出する装置に関する。
【背景技術】
【０００２】
この種の装置はドイツ国特許公開公報第１０００２５６６号から周知である。この装置は平坦な光ウエーブガイドの表面に複数の測定部分を有し、測定部分にはレセプターとして特定されるヌクレイン酸が固定される。レセプターに対して補足するヌクレイン酸を含む分析液状試料はレセプターと接触される。分析液状試料は、それぞれ、それに適合する特定レセプターと結合する。そのように形成され、相互に補足するヌクレイン酸を有するレセプター−リガンド錯体は発光物質で標識を付される。例えば、レーザダイオードにより、励起ビームが発生され、光ウエーブガイド内に接続される。ウエーブガイドの境界面での全反射により、境界層に隣接する試料の層内には、電磁フィールドが発生され、電磁フィールドは、いわゆるエバネッセントフィールドである。電磁フィールドは液状試料内で境界面から数百ナノメータだけ侵入する。エバネッセントフィールドにより、ウエーブガイドの表面に結合される発光物質は発光ビームの放射のためにだけ、ほぼ励起される。試料内に含まれるヌクレイン酸の検出のため、発光ビームはＣＣＤカメラにより局部分析されて検出される。ＣＣＤカメラはレセプターと対向するウエーブガイドの裏側に配置される。ＣＣＤカメラは、ウエーブガイドの表面にある個々の測定個所を、それぞれ、ＣＣＤセンサの検出要素で結像する結像光学系を有する。この装置は、なお比較的に多数のシステムコンポーネントを有し、それで、それに応じて高価である欠点がある。更に、この装置は比較的に大きいサイズを有し不都合である。結局、装置の測定感度も改良の必要がある。
【特許文献１】ドイツ国特許公開公報第１０００２５６６号
【発明の開示】
【発明が解決しようとする課題】
【０００３】
それで、この課題は、簡単で安価な構造でコンパクトな構造寸法を可能にする最初に述べた種類の装置を提供することにある。
【課題を解決するための手段】
【０００４】
この課題の解決策は、ウエーブガイドが半導体基板とモノリシック集積されるか、ウエーブガイド層として半導体チップ上に配置されることにある。
【０００５】
それから、少なくとも１つのビーム受信器がレセプターに対向するウエーブガイドの裏側に直接に配置され、それで、少なくとも１つのレセプターに対して対応するわずかな間隔で配置される。それで、例えば、薄板形状を備えることができる非常にコンパクトで平坦な装置が生じる。レセプターとビーム受信器との間のわずかな間隔に基づき、レセプターとビーム受信器との間の高価な結像光学系が節約できる。レセプターに積み重ねられる発光物質から放射される発光ビームは、大きい空間角度部分で検出できる。つまり、大きい測定感度で簡単に構成され、安価に製造できる装置が生じる。発光の下では、ビーム量子の全放射、とりわけ、量子に関係する励起に材料を表示する蛍光又はリン光のような光現象が理解される。
【０００６】
この発明の有利な実施例では、ウエーブガイドは少なくとも１つのビーム受信器を越えて延び、特に少なくとも１つのレセプターが、特にビーム受信器に直接に対向してウエーブガイドの表面に配置される。レセプターに結合されるリガンド又はレセプターに配置される発光物質から放射される発光ビームは、ウエーブガイドの延長方向に対してほぼ直角に走り、それにより、ウエーブガイドを通過してビーム受信器内への発光ビームの良好な伝送が達成される。つまり、発光ビームは迂回することなくビーム受信器に直接に導かれ、それにより、装置の高い検出感度が可能にされる。
【０００７】
ウエーブガイド層が半導体チップに直接に隣接し、半導体チップの地形がウエーブガイドに隣接する半導体チップ範囲内で、少なくとも１つのレセプターに対向する境界面が半導体チップとウエーブガイドとの間で、半導体チップの延長面と平行に配置される２つの面の間で走るように構成され、２つの面の間隔が励起ビームの波長より小さく、特に半分より小さく、特に１／４であり、場合により励起ビームの波長の１／８であると都合がよい。つまり、ウエーブガイドの範囲では、半導体チップの地形は本質的に平坦に構成され、このことは、ウエーブガイド内への損失のない案内を可能にする。対応する仕方では、レセプターに向くウエーブガイドの境界面が半導体チップの延長面と平行に配置される２つの面間で走ることもでき、２つの面の間隔は励起ビームの波長より小さく、特に半分より小さく、特に１／４であり、場合により励起ビームの波長の１／８である。ウエーブガイドに対する境界面では、半導体チップは酸化物層を有することができる。
【０００８】
この発明の有利な実施例では、半導体チップとウエーブガイドとの間には中間層が配置され、中間層の光屈折率はウエーブガイドの屈折率より小さく、中間層は、半導体チップに向き、半導体チップに当接する裏側には、半導体チップの表面構造の負形成部を有し、境界面はウエーブガイドに対して形成される中間層の前側が本質的に平坦に構成される。その際、更にウエーブガイドは、少なくとも１つのビーム受信器及び／又は電子回路の構造部を越えて均一に延び、又は途切れなく延びることができる。この装置の製造の場合、特に中間層は、最初に少なくとも１つのビーム受信器と、場合により、ウエハ上に電子回路のための構造部とで仕上げられ、その後、中間層のための材料を含む液状媒体がウエハ上に遠心法で仕上げられる。媒体が遠心力によりウエハ上に均一に分配された後、中間層に固定される。それから、中間層上にウエーブガイドが載置される。媒体は、例えば、トルエンのような液体溶剤、例えば、ＰＭＭＡを含むような重合体を含むことができる。しかし、液状媒体としてスピン−オン−ガラスも使用できる。
【０００９】
この発明の有利な実施例では、中間層は接着剤層として構成され、特に重合体層として構成される。それから、ウエーブガイドはプラスチック射出部品として大きい個数で原価を安く製造できる。ウエーブガイドは薄いプラスチック片又はガラス片にでき、それは、装置の製造の場合に半導体基板上に接着できる。その際、ウエーブガイドは半導体チップの保護カバーの機能も満たすことができる。ウエーブガイドは、場合により、全半導体チップに亘って延長できる。
【００１０】
この発明の別の実施例では、ウエーブガイドは少なくとも１つの結合個所を介して半導体チップと連結される。また、この実施例では、ウエーブガイドは特に１ｍｍ以下の厚さを有する薄いプラスチック片にできる。
【００１１】
この発明の有利な構成では、ウエーブガイドは、特に透明重合体層から成り、特にポリスチロールから成る薄膜層として構成される。その際、少なくとも１つのレセプターが、特に薄膜層上に直接配置される。しかし、ウエーブガイドは別の材料、例えば、スピン−オン−ガラスからも構成できる。薄膜技術により、ウエーブガイドは１００マイクロメータ以下の厚さで製造できる。それから、ビーム受信器では、レセプターに結合する発光物質から放射される発光ビームの大部分が発生する。それで、試料内リガンドの検出のため、わずかな試料量だけが必要とされる。装置の製造の場合に、ウエーブガイドは浸漬被覆又は遠心法により簡単な仕方で半導体チップ上に載置できる。
【００１２】
この発明の特別に有利な実施例では、ウエーブガイドは金属酸化物層、特に二酸化ケイ素層（ＳiＯ２）又は五酸化タンタル層（Ｔａ２Ｏ５）により形成される。それから、ウエーブガイドは、例えば、プラズマ酸化又は化学蒸気析出（ＣＶＤ）による半導体製造の標準処理により安価に製造できる。その際、ウエーブガイドの厚さは１０マイクロメータ以下であり、ウエーブガイドの表面に結合される発光物質から放射される発光ビームのほぼ半分がビーム受信器に生じる。つまり、対応する高度な測定感度が生じ、それで、試料の分析にとって、最少の量の試料で十分である。酸化物層は少なくとも１つのレセプターが直接付着できる表面構造を持つことができる。それにより、接着中間層はウエーブガイドと少なくとも１つのレセプターとの間で節約できる。しかし、ウエーブガイドはケイ素−窒化物層（Ｓｉ３Ｎ４）として構成することもできる。
【００１３】
特に光ビーム源が半導体ビーム源として構成され、半導体チップ内で一体化されると有利である。それから、この装置は、なおコンパクトで安価な構造にできる。半導体ビーム源はレーザダイオード又は発光ダイオードででき、それらは、励起ビームを、特に少なくとも１つのビーム受信器を不感にする狭い波長帯域範囲で放射する。
【００１４】
この発明の特別な構成では、光ビーム源の放射範囲での励起ビームの接続のため、接続光学系が設けられ、接続光学系は、特にウエーブガイドと一体に構成され、特に少なくとも１つのプリズム、光格子及び転向ミラー或いはそれらの内の一方を有する。ビーム源はレセプターと対向するウエーブガイドの裏側でウエーブガイドの接続光学系放射側に向いて配置できる。その際、接続側では、ビーム源から放射される励起ビームは角度を成してウエーブガイドに入るように転向され、この角度は全反射を利用してビームがウエーブガイド内に案内されるように選択される。それで、少なくとも１つのレセプターに対して励起ビームの損失の少ない案内が生じる。
【００１５】
複数のビーム受信器が、特にセル形状又はマトリックス形状で半導体チップ内で並列して一体化され、個々のビーム受信器の検出範囲内で、それぞれ、少なくとも１つのレセプターを有する検出フィールドが配置されると有利である。それから、この装置はウエーブガイドの表面にあるレセプター−リガンド錯体の局部分解され、検出が可能である。その際、個々の検出フィールドは異なるレセプターを有し、試料は複数の異なるリガンドの存在に基づき同時に分析できる。しかし、検出フィールドの少なくとも１つのグループが同じレセプターを有することも考慮できる。それから、グループの個々についてのビーム受信器の測定値は伝送でき、濾過でき、及び／又は、制御目的のため相互に比較できる。この装置により、試料内のリガンドの濃度を決定しなければならない時には、少なくとも２つの検出フィールドのレセプターがリガンドに対して異なる親和性を有すると有利である。それから、リガンドの濃度は幅広い濃度範囲で測定でき、測定のための試料を薄くしたり、又は、濃縮したりしなくてもよい。ウエーブガイドは途切れることなくビーム受信器を越えて延長できる。それにより、ウエーブガイドの製造の場合に標識化ステップを節約できる。
【００１６】
検出フィールドは、個々の受信器が本質的に他のビーム受信器の検出フィールドからの発光ビームを受信しないように相互に離間され、ビーム受信器に関して配置されると都合がよい。それで、個々の検出フィールドと検出フィールドに付設されるビーム受信器とから成る測定配置の間で高度な誘導妨害緩衝が達成される。
【００１７】
この発明の有利な実施例では、少なくとも１つの入口と出口を有する貫流測定室の内部空洞内に少なくとも１つのレセプターが配置され、その際、半導体基板は、特に貫流測定室の壁範囲を形成する。それから、貫流測定室内ではバイオ分子又はバイオ成分を分析でき、入口及び出口を介して培養液を供給できる。バイオ分子はヌクレイン酸又は、その誘導体（ＤＮＡ、ＲＮＡ、ＰＮＡ、ＬＮＡ、オリゴヌクレオチド、プラズミド、染色体）、ペプチド、プロテイン（酵素、プロテイン、オリゴペプチド、細胞質レセプタープロテイン、その錯体、ペプチドホルモン、抗体、そのフラグメント）、炭水化物、その誘導体、特に解糖プロテイン、グリコシド、脂肪及び脂質或いはそれらの内の一方を含むことができる。
【００１８】
貫流測定室の温度調節のために、特にペルチェ素子を有する加熱装置及び冷却装置或いはそれらの内の一方を設けることができる。加熱装置は、特に薄膜加熱体として構成される。それから、この装置は多重で使用でき、測定の実行後、レセプターに結合される全てのリガンドがレセプターから分離するまで、貫流測定室内での温度は上昇される。それから、リガンドは洗浄媒体の供給により、出口を経て貫流測定室から洗い流すことができる。その際、洗浄工程は、ビーム受信器が、最早発光ビームを検出しなくなるまで維持される。その後、入口を経て新しい試料が貫流測定室内に取り入れられ、分析される。しかし、この装置は、例えば、ＤＮＡ配列のようなリガンドの溶融点の決定及び結合濃度の決定或いはそれらの内の一方にも使用できる。その際、レセプターでのリガンドの結合は温度及び時間或いはそれらの内の一方の関数として測定される。そのようにして得られる溶融曲線から、ＤＮＡ配列の溶融点、つまり、当初の２重螺線ＤＮＡ配列の半分が個々の螺線で存在する温度を検出できる。溶融点に基づき、例えば、遺伝病で起こるＤＮＡ配列内の突然変異を識別できる。
【００１９】
この発明の有利な構成では、貫流測定室内で少なくとも１つのレセプターでの少なくとも１つのリガンドの結合を検出するため、少なくとも１つの試薬及び反応体或いはそれらの内の一方を貯留できる。それから、貫流測定室には、使用、即ち、測定に必要な分析試料だけが入口を経て測定室内へ準備して充填される。試薬及び反応体或いはそれらの内の一方は、特に親和性があり、例えば、測定室の内壁にプリントできる。特にその際、例えば、ポリ（２−ヒドロキシエチル）メタアクリル酸（ｐＨＥＭＡ）又はウシ血清アルブミン（ＢＳＡ）のような安定性試薬が設けられる。
【実施例】
【００２０】
続いて、この発明の実施例を図面に基づいて詳細に説明する。部分的に強調して図式化して示す。
【００２１】
分析され主に液状試料内に含まれる少なくとも１つのリガンド２を検出する全体が１で示される装置は、半導体技術の方法で光ウエーブガイド４と一体化される半導体チップ３を有する（図１）。ウエーブガイドは、例えば、重合体材料から構成できる。
【００２２】
図２において、ウエーブガイド４の表面には、リガンド２へ接触した場合に結合するレセプター５が結合することが分かる。レセプター５の固定は、例えば、上にレセプター５を付着するシラン化合物又はウエーブガイド４上に配置されるポリイミド層により達成できる。レセプター５はウエーブガイド４上又は、ウエーブガイド上にあるポリイミド層上にプリントできる。図２の実施例では、レセプター５はリガンド２の所定のエピトープに対する抗体である。レセプター５でのエピトープの結合後、エピトープとレセプター５から成る抗体マトリックスが、第１エピトープに結合する第２抗体６により標識を付されるように形成される。この抗体６は発光物質７と直接的又は間接的に標識を付される。
【００２３】
図１において、半導体チップ３内には、例えば、レーザダイオード又は発光ダイオードのような光半導体ビーム源８が一体化されるのが分かる。ビーム源８から放射されるビーム９のスペクトルは、発光物質７が発光ビーム１０を放射するために励起される少なくとも、１つの励起波長を有する。ウエーブガイド４内での励起ビーム９の接続のため、ビーム源８の放射範囲で接続光学系１１が設けられ、接続光学系は図面で詳細に示されないマイクロプリズムを有し、マイクロプリズムは、励起ビームが全反射を利用してウエーブガイド４に案内されるようにビーム源８から放射される励起ビームを転向する。ウエーブガイド４の境界面での全反射により、光学的に薄い媒体、即ち、試料内で、電磁エバネッセントフィールドが発生し、それにより、ウエーブガイド４の表面に結合される発光物質７は、発光ビーム１０を放射するために励起される。エバネッセントフィールドは数百ナノメータ深さだけが試料内に入り込むので、ウエーブガイドの表面に結合される発光物質７は発光ビーム１０を放射するために専ら励起され、他方、試料内に含まれる結合されない発光物質７は実際には、発光ビームに貢献しない。
【００２４】
発光ビーム１０の検出のため、それぞれ、半導体素子として構成される複数の光ビーム受信器１２が半導体チップ３内に一体化される。ビーム受信器１２は、発光ビーム１０に対して通過するウエーブガイド４のレセプター５と離れた裏側に配置される。つまり、発光ビーム１０は結像光学系の中間接続なしに、ビーム受信器１２に直接に生じる。それにより、この装置は簡単で安価な構造を有する。
【００２５】
発光物質７では、上向き変換発光物質が重要である。この種の発光物質は欧州特許公開公報第０７２３１４６号から周知である。上向き変換発光物質の例として、Dyornics GmbH，イエナ在の色素BND及びIR-140が言及されている。他方、下向き変換発光物質より、上向き変換発光物質は、わずかな量子効果ではなくて多くの量子効果からなる量子放射に必要とされるエネルギーに関連し、それで、下向き変換発光物質に比較して本質的に大きいストークス変位を有し、励起ビームの波長は、例えば、発光ビームの波長と同じ約２倍の大きさにできる。それにより、コンパクトなサイズの場合に高いビーム強度を可能にする赤外線半導体ビーム源８をビーム源として設けることができる。更に、この種の半導体ビーム源８の赤外線光は、短波光ビームに対してわずかな漂遊効果を生じる長所を持つ。上向き変換発光物質７により、ビーム源８から放射される光ビームは可視光線又は近似赤外光線に変換でき、ビーム受信器１２のために高い検出受信性能を有する。励起ビーム９にとって、ビーム受信器１２は不感である。
【００２６】
図２、図３において、ウエーブガイド４はビーム受信器１２を越えて延び、レセプター５はビーム受信器１２に直接に対向してウエーブガイド４の表面に配置されるのが分かる。それで、発光ビーム１０は発光物質７からビーム受信器１２へ直接経路で到達できる。
【００２７】
図４、図５で示される実施例では、ウエーブガイド４は半導体チップ３に直接に隣接するのが分かる。ウエーブガイド４は、内部に電子回路のための構造部１３が配置される遮断部を有する。電子回路はビーム受信器１２と接続される導体路を有する。ウエーブガイド４に隣接する半導体チップ範囲で半導体チップの地形は、レセプター５に対向する境界面１４が半導体チップ３とウエーブガイド４との間において半導体チップ３の延長面に対して平行にそれぞれ配置される２つの仮想面１４ａ、１４ｂの間で延び、仮想面の間隔Ｘは励起ビーム９の波長の１／８より小さい。それにより、境界面１４でのウエーブガイド４からの望ましくない光断絶が著しく回避される。一方の面からずれる半導体チップ３の表面地形を必要とする構造は、例えば、アルミニュウムから成る導体路のように、本質的にウエーブガイド４に並んで横に配置される。図５の実施例では、ウエーブガイド４は半金属酸化物層により形成され、半金属酸化物層は半導体チップ３の半導体基板３上で表面近傍範囲において平坦に延び、半導体基板の延長面とほぼ平行に走る。半導体基板は、例えばシリコンから構成できる。
【００２８】
図６の実施例では、半導体チップ３とウエーブガイド４との間に中間層１５が配置され、中間層は半導体チップ３の延長面に対してほぼ平行に走り、その光屈折率はウエーブガイド４の光屈折率より小さい。中間層１５は半導体チップ３に直接に隣接し、半導体チップ３のネガの形状を有する。この形状は、例えば、中間層１５の材料が装置１の製造の場合に遠心法での液化形状で半導体チップ３上に載置され、半導体チップ３の表面上に均一に分配された後で硬化されることにより達成できる。半導体チップ３と離れた側では、中間層１５は平坦に構成される。中間層１５上には別の層としてウエーブガイド４が載置される。つまり、中間層１５とウエーブガイド４と間に平坦な境界面が生じ、この境界面はウエーブガイド４への励起ビーム９の著しく障害のない案内を可能にする。その際、ウエーブガイド４は半導体チップ３上で均一に延長できる。
【００２９】
図１において、ビーム受信器１２は導体路を介して半導体チップ３内で一体化される制御装置及び判別装置１６と接続されることが分かる。判別装置１６は、上位に配置される表示ユニット及び判別ユニット或いはそれらの内の一方と接続するため、図面において概要で示すインターフェース装置、例えば、マイクロコンピュータを持つ。
【００３０】
図７において、複数のビーム受信器１２がマトリックス状に並列して半導体基板内にある。個々のビーム受信器１２の検出範囲内には、それぞれ、複数のレセプター５を備えた検出フィールドが配置される。個々の検出フィールドは、それぞれ、所定のリガンド２と結合できる、異なるレセプター５を有する。
【００３１】
図２〜図４において、レセプターはビーム受信器１２に対して拡大して図示されている。一方では、相互に隣接する検出フィールドの間の間隔及び他方では、レセプター５に結合される発光物質７と、発光物質とそれぞれに関連するビーム受信器１２との間の間隔は、個々のビーム受信器１２が本質的に隣接するビーム受信器の検出フィールドからの発光ビームを受信できないように選択される。
【００３２】
図１において、半導体チップ３は、内部空洞１７内にレセプター５が配置される貫流測定室の壁範囲を形成するのが分かる。貫流測定室は入口１８と出口１９とを持つ。入口１８は試料のための図面で詳細に示さない供給路と接続され、出口１９は排出路と接続される。
【００３３】
更に、ビーム源８は励起ビーム９を変調するため、半導体チップ３内で一体化される変調装置２０と接続されることを言及する。変調装置２０により、励起ビーム９は、例えば、ビーム受信器１２の測定信号内で場合により含まれ、漂遊光線又は不特定の光線励起により引き起こされる信号部分を信号判別で考慮できるため、タイミングでオン・オフできる。変調装置２０は、このために、接続ラインを介して判別装置１６と接続される。
【００３４】
分析試料内に含まれる少なくとも１つのリガンド２を検出する装置１は、つまり、光ウエーブガイド４を有し、光ウエーブガイドの表面にはリガンドを特定するレセプター５が直接的又は間接的に固定される。リガンド２はレセプター５の接触の場合にリガンドに結合する。装置１はウエーブガイド４内への励起ビーム９の接続のために少なくとも１つの光ビーム源８を持つ。ビーム９はレセプター５でのリガンド２の結合に依存して発光ビーム１０の放射を励起するために役立つ。発光ビーム１０の検出のため、半導体チップ３の半導体基板は少なくとも１つのビーム受信器１２と一体化される。ウエーブガイド４は半導体基板と一体化され、又は、ウエーブガイド層として半導体基板上に装着される。
【図面の簡単な説明】
【００３５】
【図１】図１は貫流測定室を備え、分析試料内に含まれるリガンドを検出する装置の断面を示す。
【図２】図２は発光物質により間接的に標識を付されるリガンドが結合されるレセプターがウエーブガイドに固定され、光ウエーブガイドを有する貫流測定室の壁範囲を断面で示す。
【図３】図３は図２と類似し、発光ビームの放射のため、発光物質が励起ビームにより励起され、励起ビーム及び発光ビームがビームの形状であり、概要で表される図を示す。
【図４】図４は半導体チップの部分範囲の平面を示す。
【図５】図５は半導体チップの部分範囲と、半導体チップ上に配置されるウエーブガイドの断面を示す。
【図６】図６は図５に類似するが、ウエーブガイドと半導体チップとの間に中間層が配置されている図を示す。
【図７】図７は発光物質により間接的に標識を付されるリガンドが結合されるレセプターがウエーブガイドに固定され、光ウエーブガイドを有する貫流測定室の壁範囲を断面で示す。
【図１】
0004481168.tif 000002
【図２】
0004481168.tif 000003
【図３】
0004481168.tif 000004
【図４】
0004481168.tif 000005
【図５】
0004481168.tif 000006
【図６】
0004481168.tif 000007
【図７】
0004481168.tif 000008